(57)【要約】【課題】蓄電量の減少を伴わずに異常発生の事実を長期にわたり表示し続けることができる蓄電デバイスを提供すること。【解決手段】本発明は、蓄電セル１２を複数積層して組電池化した蓄電デバイス１１であり、制御回路３１、不可逆表示手段２１、不可逆表示手段駆動回路４１を備える。制御回路３１は、蓄電セル１２を常時監視してその異常発生を検知する。不可逆表示手段２１は、不可逆的かつ視認可能な状態変化を起こし、その後は蓄電セル１２の電力消費を伴わずに異常発生の事実を表示し続ける。不可逆表示手段駆動回路４１は、異常発生検知時に不可逆表示手段２１への一時的な通電を許容して作動状態に切り替え、状態変化を誘起させる。【選択図】  図４
2009199950.tif 000002
【特許請求の範囲】
【請求項１】
蓄電セルを複数積層して組電池化した蓄電デバイスにおいて、
前記蓄電セルに電気的に接続され、前記蓄電セル及び自分自身のうちの少なくとも一方を常時監視してその異常発生を検知する異常検知機能を付与した制御回路と、
不可逆的かつ視認可能な状態変化を起こし、前記状態変化の後においては前記蓄電セルの電力消費を伴わずに異常発生の事実を表示し続ける不可逆表示手段と、
前記蓄電セルに電気的に接続され、前記制御回路が異常発生を検知していないときには前記不可逆表示手段への通電を許容しないことで前記不可逆表示手段を非作動状態に維持し、前記制御回路が異常発生を検知したときには前記不可逆表示手段への一時的な通電を許容して前記不可逆表示手段を作動状態に切り替えることで前記状態変化を誘起させる不可逆表示手段駆動回路と
を備えることを特徴とする蓄電デバイス。
【請求項２】
前記制御回路は、異常発生を検知していないときには前記不可逆表示手段駆動回路に対して駆動信号を定期的に出力し、異常発生を検知したときには前記不可逆表示手段駆動回路に対する駆動信号の出力を停止し、
前記不可逆表示手段駆動回路は、
前記蓄電セルからの給電により電荷を蓄えるコンデンサと、
前記コンデンサの電圧上昇時にオン動作することにより、前記不可逆表示手段が設けられた第１通電経路に前記不可逆表示手段の前記状態変換を誘起させるための電流を一時的に通電する第１のスイッチング素子と、
前記駆動信号の入力時にオン動作することにより、前記第１のスイッチング素子が動作電圧に到達する前に前記コンデンサを強制的に放電させて、前記コンデンサが蓄えていた電荷を前記第１通電経路とは別の第２通電経路に流す第２のスイッチング素子と
を含んで構成されている
ことを特徴とする請求項１に記載の蓄電デバイス。
【請求項３】
前記不可逆表示手段の前記状態変化に伴い前記制御回路及び前記不可逆表示手段駆動回路を動作不能状態にする動作不能機構をさらに備えることを特徴とする請求項１または２に記載の蓄電デバイス。
【請求項４】
前記不可逆表示手段の一部または全部が前記第１通電経路に対して取り付け及び取り外し可能な構造を有し、その取り外し時には前記制御回路及び前記不可逆表示手段駆動回路への通電がなされなくなることを特徴とする請求項３に記載の蓄電デバイス。
【請求項５】
前記不可逆表示手段及び前記動作不能機構は、前記第１通電経路上に設けられたヒューズホルダに対して挿抜可能な構造を有し、その抜去時には前記制御回路及び前記不可逆表示手段駆動回路への通電がなされなくなる警報付ヒューズを含んで構成されていることを特徴とする請求項３に記載の蓄電デバイス。
【請求項６】
前記蓄電セルから電力を取り出すための外部端子と、前記制御回路及び前記不可逆表示手段駆動回路が構成された配線基板と、前記配線基板上に実装された前記不可逆表示手段とが同じ面に配置され、前記不可逆表示手段の前記状態変化が当該面の側から見て視認可能であることを特徴とする請求項１乃至５のいずれか１項に記載の蓄電デバイス。
【発明の詳細な説明】
【技術分野】
【０００１】
本発明は、蓄電セルを複数積層して組電池化した蓄電デバイスに係り、特には異常発生を検知してその事実を表示する機能に特徴を有する蓄電デバイスに関するものである。
【背景技術】
【０００２】
太陽光発電や風力発電等の負荷平準化装置、コンピュータ等に代表される電子機器の瞬時電圧低下対策装置、電気自動車やハイブリッドカーのエネルギー回生装置などのようなシステムにおいては、エネルギー容量が大きくてかつ急速充放電が可能な蓄電デバイスが必要とされる。そして、このような用途に有望な蓄電デバイスの一種として、近年、非水系蓄電デバイスが注目されている（例えば、特許文献１参照）。
【０００３】
ところで、近年の蓄電デバイスにおいては、自身の異常発生を検知して外部に告知する機能を有していることが望ましいとされている。そこで、蓄電デバイスに制御回路を設け、その制御回路にセルの監視を行わせ、異常検知時には通信手段によりシステム側やホストコンピュータ側に異常発生信号を送って告知するように構成したものが従来提案されている。
【０００４】
そのほか、制御回路によりセルの監視を行わせ、異常検知時にはＬＥＤ等を点灯させて告知するように構成したものも従来提案されている。
【０００５】
なお、近年この種の蓄電デバイスは、単独で使用されるのではなくむしろ数十個あるいは数百個という単位で使用されることが多く、その数も年々増加する傾向にある。従って、例えば数多くある蓄電デバイスのうちのいずれかに何らかの異常が発生した場合には、それを早期のうちに発見、特定し、修理や交換などのメインテナンスをすることが必須課題となる。
【特許文献１】特許第３８５９３５号公報（図１等参照）
【発明の開示】
【発明が解決しようとする課題】
【０００６】
しかしながら、異常発生検知機能を有する上記従来技術の蓄電デバイスが、異常発生の告知をごく短時間だけ行ったとしても、数多くある蓄電デバイスのうちから異常発生デバイスを早期に発見、特定することは実際上困難である。それゆえ、異常発生の告知は、ごく短時間で止めてしまうのではなく、ある程度長期間にわたって行うことが望ましい。
【０００７】
ところが、上記従来技術の蓄電デバイスの場合、異常発生の告知を行い続けるためには、自己の電力を消費する必要がある。勿論、蓄電デバイスの容量には限りがあるため、異常発生の告知を半永久的に行うことは不可能であるという欠点がある。また、もともと容量の少ないセルを用いて構成された蓄電デバイスであると、ただちに自己の電力を使い果たし、過放電となって異常表示不可能になるという欠点もある。
【０００８】
本発明は上記の課題に鑑みてなされたものであり、その目的は、蓄電量の減少を伴わずに異常発生の事実を長期にわたり表示し続けることができる蓄電デバイスを提供することにある。
【課題を解決するための手段】
【０００９】
上記課題を解決するための手段を以下に列挙する。
［１］蓄電セルを複数積層して組電池化した蓄電デバイスにおいて、前記蓄電セルに電気的に接続され、前記蓄電セル及び自分自身のうちの少なくとも一方を常時監視してその異常発生を検知する異常検知機能を付与した制御回路と、不可逆的かつ視認可能な状態変化を起こし、前記状態変化の後においては前記蓄電セルの電力消費を伴わずに異常発生の事実を表示し続ける不可逆表示手段と、前記蓄電セルに電気的に接続され、前記制御回路が異常発生を検知していないときには前記不可逆表示手段への通電を許容しないことで前記不可逆表示手段を非作動状態に維持し、前記制御回路が異常発生を検知したときには前記不可逆表示手段への一時的な通電を許容して前記不可逆表示手段を作動状態に切り替えることで前記状態変化を誘起させる不可逆表示手段駆動回路とを備えることを特徴とする蓄電デバイス。
【００１０】
従って、手段１によると、異常が発生していない通常時には、不可逆表示手段駆動回路が不可逆表示手段を非作動状態に維持するため、不可逆表示手段は状態変化を起こさない。何らかの異常が発生した場合には、不可逆表示手段駆動回路が不可逆表示手段への一時的な通電を許容して前記不可逆表示手段を作動状態に切り替える。その結果、不可逆表示手段が不可逆的かつ視認可能な状態変化を起こし、異常発生の事実が視覚を通じて把握可能な状態となる。しかも、その状態変化の後において不可逆表示手段は、蓄電セルの電力消費を伴わずに異常発生の事実を長期にわたり表示し続けることができる。よって、不可逆表示手段駆動回路は一時的な通電を許容するのみで足り、蓄電量の減少度合を小さくすることができる。
【００１１】
［２］前記制御回路は、異常発生を検知していないときには前記不可逆表示手段駆動回路に対して駆動信号を定期的に出力し、異常発生を検知したときには前記不可逆表示手段駆動回路に対する駆動信号の出力を停止し、前記不可逆表示手段駆動回路は、前記蓄電セルからの給電により電荷を蓄えるコンデンサと、前記コンデンサの電圧上昇時にオン動作することにより、前記不可逆表示手段が設けられた第１通電経路に前記不可逆表示手段の前記状態変換を誘起させるための電流を一時的に通電する第１のスイッチング素子と、前記駆動信号の入力時にオン動作することにより、前記第１のスイッチング素子が動作電圧に到達する前に前記コンデンサを強制的に放電させて、前記コンデンサが蓄えていた電荷を前記第１通電経路とは別の第２通電経路に流す第２のスイッチング素子とを含んで構成されていることを特徴とする上記手段１に記載の蓄電デバイス。
【００１２】
従って、手段２によると以下の作用効果を奏する。不可逆表示手段駆動回路を構成するコンデンサには、蓄電セルからの給電により電荷が蓄えられるようになっている。異常が発生していない通常時には、制御回路から所定の駆動信号が定期的に出力され、この駆動信号の入力を契機として第２のスイッチング素子が定期的にオン動作する。すると、第１のスイッチング素子が動作電圧に到達する前にコンデンサが強制的に放電させられて、電流が第２通電経路に流れる結果、不可逆表示手段が設けられた第１通電経路側の非通電状態が維持される。即ち、不可逆表示手段駆動回路が不可逆表示手段を非作動状態に維持するため、不可逆表示手段は状態変化を起こさない。何らかの異常が発生した場合には、駆動信号の出力が停止されるため、所定時間経過後にコンデンサが所定電圧に上昇して、第１のスイッチング素子がオン動作する。すると、その電荷に見合う電流が第１通電経路に一時的に流れ、非作動状態であった不可逆表示手段が作動状態に切り替わる。その結果、不可逆表示手段が不可逆的かつ視認可能な状態変化を起こし、異常発生の事実が視覚を通じて把握可能な状態となる。
【００１３】
［３］前記不可逆表示手段の前記状態変化に伴い前記制御回路及び前記不可逆表示手段駆動回路を動作不能状態にする動作不能機構をさらに備えることを特徴とする上記手段１または２に記載の蓄電デバイス。
【００１４】
従って、手段３によると、状態変化に伴い制御回路及び不可逆表示手段駆動回路が動作しなくなることで、異常発生後における蓄電量の減少度合をごく小さくすることができる。また、製品出荷時に動作不能状態にしておくこともでき、この場合には使用開始までの保管期間を長くすることが可能となる。
【００１５】
［４］前記不可逆表示手段の一部または全部が前記第１通電経路に対して取り付け及び取り外し可能な構造を有し、その取り外し時には前記制御回路及び前記不可逆表示手段駆動回路への通電がなされなくなることを特徴とする上記手段３に記載の蓄電デバイス。
【００１６】
従って、手段４によると、不可逆表示手段の一部または全部が、いわば本デバイスにおける電源スイッチとして機能しうるため、制御回路及び不可逆表示手段駆動回路を非動作状態とすることができ、異常発生後における蓄電量の減少度合をごく小さくすることができる。また、取り外しによって製品出荷時に非動作状態にしておくこともでき、この場合には使用開始までの保管期間を長くすることが可能となる。
【００１７】
［５］前記不可逆表示手段及び前記動作不能機構は、前記第１通電経路上に設けられたヒューズホルダに対して挿抜可能な構造を有し、その抜去時には前記制御回路及び前記不可逆表示手段駆動回路への通電がなされなくなる警報付ヒューズを含んで構成されていることを特徴とする上記手段３に記載の蓄電デバイス。
【００１８】
従って、手段５によると、異常が発生していない通常時には、不可逆表示手段駆動回路が、ヒューズホルダに挿入された警報付ヒューズへの通電を許容しないので、警報付ヒューズに定格値以上の電流が流れない。よって、このときには警報付ヒューズに溶断が生じることはなく、溶断を示す警報も表示されない。何らかの異常が発生した場合には、不可逆表示手段駆動回路が警報付ヒューズへの一時的な通電を許容し、このときに定格値以上の電流が流れると、警報付ヒューズに溶断が生じて警報が表示され続ける。つまり、不可逆表示手段を構成する警報付ヒューズが、不可逆的かつ視認可能な状態変化を起こし、異常発生の事実が視覚を通じて把握可能な状態となる。また、警報付ヒューズは挿抜によって制御回路及び不可逆表示手段駆動回路を通電または非通電状態にすることが可能なため、動作不能機構としての役割も担うことができる。
【００１９】
［６］前記蓄電セルから電力を取り出すための外部端子と、前記制御回路及び前記不可逆表示手段駆動回路が構成された配線基板と、前記配線基板上に実装された前記不可逆表示手段とが同じ面に配置され、前記不可逆表示手段の前記状態変化が当該面の側から見て視認可能であることを特徴とする上記手段１乃至５のいずれか１項に記載の蓄電デバイス。
【００２０】
従って、手段６によると、端子設置面とは異なる面に不可逆表示手段を配置した場合と比較して、不可逆表示手段の状態変化が視認しやすくなる。このため、デバイスが数多く設置されている場合でも、異常発生デバイスを早期に発見、特定することができる。また、不可逆表示手段の一部または全部が取り付け及び取り外し可能な構造を有するような場合、取り付け及び取り外し作業が行いやすくなり、メインテナンス性も向上する。
【発明の効果】
【００２１】
以上詳述したように、請求項１〜６に記載の発明によると、蓄電量の減少を伴わずに異常発生の事実を長期にわたり表示し続けることができる蓄電デバイスを提供することができる。
【発明を実施するための最良の形態】
【００２２】
以下、本発明を具体化した一実施の形態の蓄電デバイス１１を図１〜図４に基づき詳細に説明する。
【００２３】
図１，図２に示されるように、本実施形態の蓄電デバイス１１は、蓄電セル１２を複数積層して組電池化した蓄電デバイスである。蓄電セル１２としては従来周知のものが使用可能であり、例えばリチウムプレドープ型リチウムイオンキャパシタ等が好適である。蓄電デバイス１１を構成する本体フレーム１６には、縦置きで積層した複数の蓄電セル１２が配置されかつ固定されている。これら複数の蓄電セル１２は直列に接続されている。本体フレーム１６における上面１７の側には、略矩形状をなす配線基板１４が配置されている。この配線基板１４には、後述する制御回路３１及び不可逆表示手段駆動回路４１が構成されているとともに、後述する不可逆表示手段２０が設けられている。配線基板１４における対向する２辺には、複数の蓄電セル１２から電力を取り出すための外部端子１３がそれぞれ突設されている。即ち、配線基板１４及び一対の外部端子１３は、同じ面（上面１７）に集中して配置されている。また、配線基板１４上にはヒューズホルダ２２が実装され、そのヒューズホルダ２２には挿抜可能な構造を有する警報付ヒューズ２１が挿着されている。配線基板１４におけるヒューズホルダ２２の位置は特に限定されず任意であるが、本実施形態ではこれを配線基板１４の外周部に設けている。なお、警報付ヒューズ２１はヒューズ上面に警告窓２３を備えている。よって、ヒューズホルダ２２を警報付ヒューズ２１に挿着した状態では、蓄電デバイス１１の上方から見て（即ち上面１７側から見て）、その警告窓２３を視認できるようになっている。
【００２４】
図３（ａ）〜（ｄ）には、不可逆表示手段を構成する警報付ヒューズ２１の一例が示されている。本実施形態の警報付ヒューズ２１は、ブロック状をなす樹脂製のヒューズ本体２７を備え、そのヒューズ本体２７の下面からは一対の端子２４ａ，２４ｂが突設されている。一対の端子２４ａ，２４ｂは、相対的に長い端子２４ａと、相対的に短い端子２４ｂとからなる。相対的に短い端子２４ｂには屈曲形成された導電金属製のばね片２６が接合されている。ばね片２６の上端には平坦部２６ａが設けられており、その平坦部２６ａの表面には色が付されている。相対的に長い端子２４にはヒューズエレメント２５の一端が接合され、ばね片２６には当該ヒューズエレメント２５の他端が接合されている。図３（ａ），（ｂ）に示されるように、ヒューズエレメント２５に溶断が起きていないときには、ばね片２６の平面部２６ａは、長い端子２４ａ側に引き込まれることで、警告窓２３を介して見えない位置に退避した状態となる。これに対し、図３（ｃ），（ｄ）に示されるように、ヒューズエレメント２５に溶断が起きると、ばね片２６の平面部２６ａが、長い端子２４ａ側から離間する方向に移動し、警告窓２３の下方位置に至る。この移動により、平面部２６ａが警告窓２３を介して露呈して見えるようになる。ヒューズエレメント２５の溶断により起きた物理的な状態変化は不可逆的なものであり、溶断後においては平面部２６ａの露呈が維持されるようになっている。
【００２５】
次に、図４に基づきこの蓄電デバイス１１における電気的構成について説明する。
本実施形態の蓄電デバイス１１は、制御回路３１、不可逆表示手段駆動回路４１等を備えている。制御回路３１は、複数の蓄電セル１２に電気的に接続されており、それらからの電力供給によって動作している。制御回路３１は、各々の蓄電セル１２を常時監視するとともに、自分自身についても常時監視している。具体的には、過充電、過放電、過電流、セルアンバランスといった異常の発生を検知するために、各々の蓄電セル１２の電圧や電流を常時監視している。これに加え、制御回路３１の動作異常を検知するために、制御回路３１における特定部分の電流や電圧を常時監視している。即ち、本実施形態の制御回路３１には異常検知機能が付与されている。異常発生を検知していないとき、制御回路３１は所定の駆動信号Ｓ１を生成し、その駆動信号Ｓ１を不可逆表示手段駆動回路４１に対して定期的に出力するようになっている。異常発生を検知したとき、制御回路３１は不可逆表示手段駆動回路４１に対する駆動信号Ｓ１の出力を停止するようになっている。なお、制御回路３１には、通常時においてシステム側やホストコンピュータ側との通信を行うための機能や、その他の機能が付与されていてもよい。
【００２６】
不可逆表示手段駆動回路４１は、制御回路３１と同じく、直列接続された複数の蓄電セル１２に電気的に接続されていて、そこからの電力供給によって動作している。本実施形態の不可逆表示手段駆動回路４１は、コンデンサ４２と、第１のスイッチング素子であるトランジスタ４３と、第２のスイッチング素子４４と、抵抗４５とを接続することによって構成されている。抵抗４５の一方の端子及びトランジスタ４３のエミッタ端子は、直列接続された複数の蓄電セル１２のプラス側に電気的に接続されている。一方、抵抗４５の他方の端子とトランジスタ４３のベース端子とが電気的に接続されている。第２のスイッチング素子４４の一方の端子は、抵抗４５の他方の端子とトランジスタ４３のベース端子との接続点に電気的に接続されている。第２のスイッチング素子４４の他方の端子は、直列接続された複数の蓄電セル１２のマイナス側に電気的に接続されるとともに接地されている。なお、コンデンサ４２は第２のスイッチング素子４４と並列に接続されている。トランジスタ４３のコレクタ端子は、不可逆表示手段２０の一部を構成する警報付ヒューズ２１が配設可能な第１通電経路Ｃ１を介して、接地されている。第２のスイッチング素子４４は、駆動信号Ｓ１の入力時にオン動作するものであればよく、電気的なものも機械的なものも使用可能である。本実施形態では制御回路３１がマイクロコンピュータであるため、低電流で駆動可能な電気的スイッチング素子を使用している。
【００２７】
次に、このように構成された蓄電デバイス１１の動作について説明する。
【００２８】
不可逆表示手段駆動回路４１を構成するコンデンサ４２には、蓄電セル１２からの給電により電荷が蓄えられるようになっている。異常が発生していない通常時には、制御回路３１から所定の駆動信号Ｓ１が定期的に出力される。そして、この駆動信号Ｓ１の入力を契機として第２のスイッチング素子４４が定期的にオン動作し、第２通電経路Ｃ２が定期的にクローズ状態となる。ここで、駆動信号Ｓ１が出力される時間的間隔は、コンデンサ４２が所定電圧（トランジスタ４３の動作電圧）に到達するのに要する時間よりも短く設定されている。よって、このオン動作に伴い、トランジスタ４３の動作電圧に到達する前に、当該コンデンサ４２が強制的に放電させられる。そのとき、コンデンサ４２側から第２通電経路Ｃ２に電流が流れる結果、警報付ヒューズ２１が設けられた第１通電経路Ｃ１側が非通電状態に維持される。即ち、不可逆表示手段駆動回路４１が不可逆表示手段２０を非作動状態に維持するため、不可逆表示手段２０は状態変化を起こさない。
【００２９】
何らかの異常が発生した場合には、駆動信号Ｓ１の出力が停止されるため、第２通電経路Ｃ２がクローズ状態にならなくなる。この場合、所定時間経過後にコンデンサ４２が充電されてベース端子に電流が流れ込み、第１のスイッチング素子であるトランジスタ４３がオン動作する。すると、その電荷に見合う電流が第１通電経路Ｃ１に一時的に流れ、この電流によって警報付ヒューズ２１に溶断が生じる。その結果、警報窓２３を介して平面部２６ａが露呈して見えるようになるとともに、このような警報が半永久的に表示され続ける。つまり、不可逆表示手段２０を構成する警報付ヒューズ２１が、不可逆的かつ視認可能な状態変化を起こし、異常発生の事実が視覚を通じて把握可能な状態となる。しかも、このような状態変化の後において不可逆表示手段２０は、蓄電セル１２の電力消費を伴わずに、異常発生の事実を長期にわたり表示し続けることができる。
【００３０】
従って、本実施の形態によれば以下の効果を得ることができる。
【００３１】
（１）上述したように、本実施形態の蓄電デバイス１１は、ＬＥＤの点灯や通信を利用した従来方式とは異なり、蓄電量の減少を伴わずに異常発生の事実を長期にわたり表示し続けることができる。よって、数十個あるいは数百個という単位で使用するような場合であっても、数多くある蓄電デバイス１１の中から、異常発生デバイスのみを早期のうちに発見、特定することができる。ゆえに、修理や交換などのメインテナンスを速やかに行うことが可能となる。
【００３２】
（２）本実施形態では、警報付ヒューズ２１とヒューズホルダ２２とによって不可逆表示手段２０を構成している。このため、安価かつ比較的単純な構造の不可逆表示手段２０とすることができるとともに、確実に動作し、かつ視覚を通じて把握しやすい警告を行わせることができる。また本実施形態では、不可逆表示手段駆動回路４１についても、コンデンサ４２とトランジスタ４３と第２のスイッチング素子４４と抵抗４５とにより構成しているため、安価かつ比較的単純な構造とすることができる。
【００３３】
なお、本発明の実施の形態は以下のように変更してもよい。
【００３４】
・上記実施形態では、蓄電セル１２としてリチウムイオンキャパシタを使用したが、これに限定されず例えば電気二重層キャパシタ等を使用してもよい。
【００３５】
・上記実施形態では、不可逆的かつ視認可能な物理的状態変化を起こす電気部品として警報付ヒューズ２１を使用したが、これ以外のもの（例えばブレーカ、リレー等）を使用し、これを図４に示す第１通電経路Ｃ１に設けるようにしてもよい。
【００３６】
・不可逆表示手段は、不可逆的かつ視認可能な化学的状態変化を起こすものを含んで構成されていてもよく、具体的には温度または圧力の変化に伴い化学的状態変化を起こすものを含んで構成されていてもよい。図５に示す別の実施形態の蓄電デバイス１１は、感温ラベル５２を加熱するための電熱ヒータ５１を含んで構成された不可逆表示手段２０Ａを備えている。従って、この構成によると、異常発生時には第１通電経路Ｃ１上にある電熱ヒータ５１に電流が流れ、電熱ヒータ５１が発熱する。すると、電熱ヒータ５１に接している感温ラベル５２が加温され、その結果、化学変化が起きて色調が変わるようになっている。また、図６に示す別の実施形態の蓄電デバイス１１は、感圧ラベル６２と、その感圧ラベル６２を加圧するための電気的アクチュエータ６１とを含んで構成された不可逆表示手段２０Ｂを備えている。従って、この構成によると、異常発生時には第１通電経路Ｃ１上にある電気的アクチュエータ６１に電流が流れて動作し、感圧ラベル６２が加圧される結果、化学変化が起きて色調が変わるようになっている。従って、これら２つの形態であっても、蓄電量の減少を伴わずに異常発生の事実を長期にわたり表示し続けることができる。
【００３７】
・警報付ヒューズ２１の挿抜によって制御回路３１及び不可逆表示手段駆動回路４１を通電または非通電状態にすることができるように構成してもよい。この場合、不可逆表示手段２０の一部である警報付ヒューズ２１に、動作不能機構としての役割も担わせることができる。従って、例えば製品出荷時に警報付ヒューズ２１を抜去しておくことで、電力消費量を最小限に止めることができ、製品出荷後に充電されるまでの保管期間を長くすることができる。
【００３８】
次に、特許請求の範囲に記載された技術的思想のほかに、前述した実施の形態によって把握される技術的思想を以下に列挙する。
【００３９】
（１）上記手段１乃至６のいずれか１項において、前記蓄電セルは、電気二重層キャパシタまたはリチウムイオンキャパシタであること。
【００４０】
（２）上記手段１乃至３のいずれか１項において、前記不可逆表示手段は、不可逆的かつ視認可能な物理的状態変化を起こす電気部品であること。
【００４１】
（３）上記技術的思想２において、前記不可逆表示手段は、ヒューズ、ブレーカまたはリレーであること。
【００４２】
（４）上記手段１乃至３のいずれか１項において、前記不可逆表示手段は、不可逆的かつ視認可能な化学的状態変化を起こすものを含んで構成されること。
【００４３】
（５）上記技術的思想４において、前記不可逆表示手段は、温度または圧力の変化に伴い化学的状態変化を起こすものを含んで構成されること。
【００４４】
（６）上記技術的思想５において、前記不可逆表示手段は、感温ラベルまたは感圧ラベルを含んで構成されること。
【００４５】
（７）上記技術的思想６において、前記不可逆表示手段は、前記感温ラベルを加熱するための電熱ヒータを含んで構成されること。
【００４６】
（８）上記技術的思想６において、前記不可逆表示手段は、前記感圧ラベルを加圧するための電気的アクチュエータを含んで構成されること。
【００４７】
（９）上記手段１乃至６のいずれか１項において、前記異常とは、前記セルの過充電、過放電、過電流もしくはアンバランス、または前記制御回路の動作異常であること。
【図面の簡単な説明】
【００４８】
【図１】本発明を具体化した一実施形態の蓄電デバイスを示す概略正面図。
【図２】上記蓄電デバイスを示す概略平面図。
【図３】上記蓄電デバイスに使用される警報付ヒューズを説明するためのものであって、（ａ）はヒューズ溶断前における平面図、（ｂ）はヒューズ溶断前における正面図、（ｃ）はヒューズ溶断後における平面図、（ｄ）はヒューズ溶断後における正面図。
【図４】上記蓄電デバイスの電気的構成を説明するための回路図。
【図５】別の実施形態における蓄電デバイスの電気的構成を説明するための回路図。
【図６】別の実施形態における蓄電デバイスの電気的構成を説明するための回路図。
【符号の説明】
【００４９】
１１…蓄電デバイス
１２…蓄電セル
１４…配線基板
２０，２０Ａ，２０Ｂ…不可逆表示手段
２１…警報付ヒューズ
２２…ヒューズホルダ
２３…外部端子
３１…制御回路
４１…不可逆表示手段駆動回路
４２…コンデンサ
４３…第１のスイッチング素子
４４…第２のスイッチング素子
Ｃ１…第１通電経路
Ｃ２…第２通電経路
Ｓ１…駆動信号
【図１】
2009199950.tif 000003
【図２】
2009199950.tif 000004
【図３】
2009199950.tif 000005
【図４】
2009199950.tif 000006
【図５】
2009199950.tif 000007
【図６】
2009199950.tif 000008